(57)【特許請求の範囲】
【請求項１】
複数の入力手段より入力された各ドキュメントの記述方向を管理する管理手段と、
前記管理手段により管理される記述方向に応じて各ドキュメントを回転させる回転手段と、
前記回転手段により回転させたドキュメントを出力する出力手段と、
を有することを特徴とするドキュメント管理装置。
【請求項２】
ドキュメントを検索する検索手段と、前記検索手段により検索されたドキュメントに対して記述方向を再設定する再設定手段とを更に有することを特徴とする請求項１記載のドキュメント管理装置。
【請求項３】
前記再設定手段は、ドキュメントの各ページに対応する画像データに対して記述方向をそれぞれ再設定することを特徴とする請求項２記載のドキュメント管理装置。
【請求項４】
出力モードを設定する出力設定手段と、出力する画像データを拡大或いは縮小する変倍手段と、前記ドキュメント記述方向と出力設定手段の設定とを参照して前記回転手段及び変倍手段を制御する制御手段とを更に有することを特徴とする請求項１記載のドキュメント管理装置。
【請求項５】
前記ドキュメント管理装置は、ネットワークを介して複数のコンピュータに接続され、各コンピュータから遠隔操作されることを特徴とする請求項１記載のドキュメント管理装置。
【請求項６】
複数の入力手段より入力された各ドキュメントの記述方向を管理し、
管理される記述方向に応じて各ドキュメントを回転させ、
回転させたドキュメントを出力する、
各工程を有することを特徴とするドキュメント管理方法。
【請求項７】
ドキュメントを検索する検索工程と、前記検索工程により検索されたドキュメントに対して記述方向を再設定する再設定工程とを更に有することを特徴とする請求項６記載のドキュメント管理方法。
【請求項８】
前記再設定工程は、ドキュメントの各ページに対応する画像データに対して記述方向をそれぞれ再設定することを特徴とする請求項７記載のドキュメント管理方法。
【請求項９】
出力モードを設定する出力設定工程と、出力する画像データを拡大或いは縮小する変倍工程と、前記ドキュメント記述方向と出力設定工程の設定とを参照して前記回転工程及び変倍工程を制御する制御工程とを更に有することを特徴とする請求項６記載のドキュメント管理方法。
【発明の詳細な説明】
【０００１】
【発明の属する技術分野】
本発明は、様々なドキュメントの入出力、表示、フィニッシング等の整合性をとることのできるドキュメント管理方法及び装置に関するものである。
【０００２】
【従来の技術】
従来、電子化されたドキュメントは、その形態において画像データと文字等のコードデータの形で存在している。ここで、画像データは、例えばスキャナ等の画像読み取り装置により入力されたり、ファクシミリ送受信において扱われており、一方、コードデータはワードプロセッサやテキストエディタ等で作成され、所定のコードデータとして記録、表示、出力されている。また、近年、複写機のデジタル化に伴い、複写機のスキャナ、プリンタを使用してファクシミリ送受信、ＰＤＬ（Ｐａｇｅ  Ｄｅｓｃｒｉｐｔｉｏｎ  Ｌａｎｇｕａｇｅ  ）プリンタ、電子ファイリング等複数の機能を併せ持つ複合機が実用化されてきている。
【０００３】
このような複合機は複写機の機能、ファクシミリ機能、ＰＤＬプリント機能、電子ファイル機能等の単機能だけでなく、例えばファクシミリ受信文書やＰＤＬ展開画像を電子ファイルにするといった、複数の機能間でも動作可能となるように構成されている。更に、電子ファイルの記録媒体を光磁気ディスク等の可換型メディアとしたり、電子ファイル中の文書を各種インターフェース、例えばＳＣＳＩ（Ｓｍａｌｌ  Ｃｏｍｐｕｔｅｒ  Ｓｙｓｔｅｍ  Ｉｎｔｅｒｆａｃｅ  ）やＬＡＮ（Ｌｏｃａｌ  Ａｒｅａ  Ｎｅｔｗｏｒｋ）経由で接続することにより、コンピュータ装置等でもデータの再利用を図ることができるように構成されたものである。
【０００４】
このような従来例において電子化されたドキュメントを可視像として画像展開するという点に関して、次のように構成されている。
【０００５】
まず、ＰＤＬプリンタのように、コードデータを画像データに展開（ラスタライズ）する場合、図２０に示す（ａ）のような原稿は、一般に、順次左から右へ向かってＰＤＬコードがいわゆるフォントとして画像データに展開されてメモリ上に配置される。また、改行コードがあると、改行されて順次各行が上から下へ向かって展開されてメモリ上に配置される。このようにして１ページ分の画像がメモリ上に展開されると、次に所定の用紙に対して画像形成が行われ、可視像としてプリントアウトされる。この時、プリンタ装置の様々な構成（例えば、用紙の排紙方向や排紙方向による処理速度の向上や、ステイプル位置等）を考慮し、メモリ上への展開位置やメモリからの読み出し方向を変えるように構成したものである。このように、ＰＤＬプリンタにおいては処理されるドキュメントの向き（文字コードデータの記述順序）は既知である。
【０００６】
次に、スキャナ等の原稿読み取り装置により画像データとして入力される場合について述べる。一例として複写機機能について以下に説明する。
【０００７】
複写機機能では、図１８に示す（ａ）の原稿は、図１８に示す（ｂ）のように、一般に、スキャナのＣＣＤラインセンサ２００１が右から左へ走査され、プリンタへの画像形成も、右から左へ画像が形成されるように構成されている。また、用紙はこの画像形成方向に従って排出され、ステイプルは原稿の左上、或いは左端に対して綴じられるように構成されている。但し、原稿の載置方向は任意であり、原稿の内容の文字の記述順序は処理装置側では意識していない。
【０００８】
また、ファクシミリ装置においても、複写機機能と同様に図１８に示す（ａ）の原稿は、図１８に示す（ｂ）のようにスキャナのＣＣＤラインセンサ２００１が右から左へ（原稿の長手方向を主走査方向として）走査するように構成することが可能であるが、ファクシミリ送受信では通信手順の規約（ＩＴＵ−Ｔ）上から画像データの解像度と主走査方向の画素数が規定されているため、このように右から左へ走査された画像データは、一般に９０度回転し、図１８に示す（ｃ）のように短手方向が主走査方向となるように変換後、所定の手順により通信回線を介してデータ転送される。また、ファクシミリ専用装置では、最初から図１８に示す（ｃ）のように原稿の短手方向が主走査方向となるように読み取り装置を構成したものもある。更に、ファクシミリ受信においては、受信されたデータは主走査方向の１ライン毎に画像データとして復元し、順次画像形成が行われる。この場合も、１ライン毎に画像を可視像として形成したり、原稿１枚分をメモリ上で展開してから可視像として画像形成したり、更に用紙サイズに合わせて原稿１枚分をメモリ上で展開後、回転或いは変倍してから可視像として画像形成するように構成されている。このようにファクシミリ送受信装置においても、原稿の内容の文字の記述順序は処理装置側では意識されていない。
【０００９】
これに対して、ディスプレイ等の画像表示装置では、一般に走査線は上から下へ向かって表示するように構成されている。
【００１０】
【発明が解決しようとする課題】
しかしながら、上記従来例では、ＰＤＬ展開画像や、スキャナ入力された画像データ、或いはファクシミリ受信された画像データ等様々な画像生成手段により生成された画像データを電子ファイル等の記録媒体に記録する際に、同一原稿であっても、これら画像生成手段による画像展開方向が異なり得るため、記録媒体中で原稿の記録方向がばらばらになってしまい、記録媒体中に記録されたドキュメントをステイプルしてプリントするときに、適切な位置にステイプルできない場合があった。
【００１１】
また、記録媒体中に記録されたドキュメントをディスプレイ等の表示装置にて表示する場合にも、適切な方向に表示できない場合があるという問題があった。更に、特に、複写機のスキャナからスキャナ入力される画像データは、一般に、ＰＤＬ展開画像やファクシミリ受信画像とは主走査方向、副走査方向が異なるため、画像表示する際には、表示装置側で各々の画像データを回転させなければならないという問題もあった。
【００１２】
本発明は、上述の課題を解決するためになされたもので、ドキュメントの記述方向を管理し、様々なドキュメントの入出力、表示、フィニッシング等の整合性をとれるドキュメント管理方法及び装置を提供することを目的とする。
【００１３】
【課題を解決するための手段】
上記目的を達成するために、本発明によるドキュメント管理装置は以下の構成を有する。
【００１４】
即ち、複数の入力手段より入力された各ドキュメントの記述方向を管理する管理手段と、
前記管理手段により管理される記述方向に応じて各ドキュメントを回転させる回転手段と、
前記回転手段により回転させたドキュメントを出力する出力手段とを有する。かかる構成において、入力された複数のドキュメントに対して記述方向を管理し、その記述方向に応じてドキュメントを回転させて出力する。
【００１５】
また、上記目的を達成するために、本発明によるドキュメント管理方法は以下の工程を有する。
【００１６】
即ち、複数の入力手段より入力された各ドキュメントの記述方向を管理し、
管理される記述方向に応じて各ドキュメントを回転させ、
回転させたドキュメントを出力する各工程を有する。
【００１７】
【発明の実施の形態】
以下、図面を参照しながら本発明に係る実施の形態を詳細に説明する。
【００１８】
［第１の実施形態］
図１は、第１の実施形態によるドキュメントマネージメント装置の構成を示すブロック図である。同図において、１はリーダ部であり、原稿の画像を読み取り、原稿画像に応じた画像データを後述するプリンタ部や画像入出力制御部へ出力する。２はプリンタ部であり、リーダ部１及び後述する画像入出力制御部からの画像データに応じた画像を記録紙上に記録する。そして、３は画像入出力制御部であり、リーダ部１に接続され、ファクシミリ部４、ファイル部５、コンピュータインターフェース部７、フォーマッタ部８、イメージメモリ部９、コア部１０などからなる。
【００１９】
次に、画像入出力制御部３の各部について説明する。まずファクシミリ部４は電話回線１３を介して受信した圧縮画像データを伸長し、伸長した画像データをコア部１０へ転送すると共に、コア部１０から転送された画像データを圧縮し、圧縮した圧縮画像データを電話回線１３を介して送信する。またファクシミリ部４にはハードディスク１２が接続されており、受信した圧縮画像データを一時的に保存することができる。ファイル部５には光磁気ディスクドライブユニット６が接続されており、ファイル部５はコア部１０から転送された画像データを圧縮し、その画像データを検索するためのコードデータと共に、光磁気ディスクドライブユニット６にセットされた光磁気ディスクに記憶させる。またファイル部５はコア部１０を介して転送されたコードデータに基づいて光磁気ディスクに記憶されている圧縮画像データを検索し、検索した圧縮画像データを読み出して伸長し、伸長した画像データをコア部１０へ転送する。
【００２０】
コンピュータ・インターフェース部７は、パーソナルコンピュータ又はワークステーション（ＰＣ／ＷＳ）１１とコア部１０との間のインターフェースである。フォーマッタ部８はＰＣ／ＷＳ１１から転送された画像を表すコードデータをプリンタ部２で記録できる画像データに展開する。イメージメモリ部９はＰＣ／ＷＳ１１から転送されたデータを一時的に記憶するものである。尚、コア部１０については後述するが、コア部１０はリーダ部１、ファクシミリ部４、ファイル部５、コンピュータ・インターフェース部７、フォーマッタ部８、イメージメモリ部９のそれぞれの間のデータの流れを制御するものである。
【００２１】
図２は、リーダ部１及びプリンタ部２の構造を示す断面図である。リーダ部１において、原稿給送装置１０１は原稿を最終順に１枚ずつプラテンガラス１０２上へ給送し、原稿の読み取り動作終了後、プラテンガラス１０２上の原稿を排出するものである。原稿がプラテンガラス１０２上に搬送されると、ランプ１０３を点灯し、そしてスキャナユニット１０４の移動を開始させて原稿を露光走査する。この時の原稿からの反射光は、ミラー１０５，１０６，１０７、及びレンズ１０８によってＣＣＤイメージセンサ（以下ＣＣＤという）１０９へ導かれる。このように、走査された原稿の画像はＣＣＤ１０９によって読み取られ、ＣＣＤ１０９から画像データとして出力され、所定の処理が施された後、プリンタ部２及び画像入出力制御部３のコア部１０へ転送される。
【００２２】
一方、プリンタ部２において、レーザ発光部２０１は不図示のレーザドライバーによって駆動され、リーダ部１から出力された画像データに応じたレーザ光を発光させる。このレーザ光は感光ドラム２０２に照射され、感光ドラム２０２にはレーザ光に応じた潜像が形成される。この感光ドラム２０２の潜像の部分には現像器２０３によって現像剤が付着される。そして、レーザ光の照射開始と同期したタイミングで、カセット２０４又はカセット２０５のいずれかから記録紙を給紙して転写部２０６へ搬送し、感光ドラム２０２に付着された現像剤を記録紙に転写する。現像剤の乗った記録紙は定着部２０７に搬送され、定着部２０７の熱と圧力により現像剤が記像紙に定着される。定着部２０７を通過した記録紙は排出ローラ２０８によって排出され、ソータ２２０が排出された記録紙をそれぞれのビンに収納して記録紙の仕分けをしたり、仕分けされた記録紙のステイプルを行う。
【００２３】
尚、ソータ２２０は仕分けが設定されていない場合は最上ビンに記録紙を収納する。また、両面記録が設定されている場合は、排出ローラ２０８のところまで記録紙を搬送した後、排出ローラ２０８の回転方向を逆転させ、フラッパ２０９によって再給紙搬送路２１０へ導く。更に、多重記録が設定されている場合は、記録紙を排出ローラ２０８まで搬送しないようにフラッパ２０９によって再給紙搬送路２１０へ導く。そして、再給紙搬送路２１０へ導かれた記録紙は上述したタイミングで転写部２０６へ給紙される。
【００２４】
図３は、上述のリーダ部１の構成を示すブロック図である。まずＣＣＤ１０９から出力された画像データはＡ／Ｄ・ＳＨ部１１０でアナログ／デジタル変換が行われると共に、シェーディング補正が行われる。次に、Ａ／Ｄ・ＳＨ部１１０によって処理された画像データは画像処理部１１１を介してプリンタ部２へ転送されると共に、インターフェース部１１３を介して画像入出力制御部３のコア部１０へ転送される。ＣＰＵ１１４は操作部１１５で設定された設定内容に応じて画像処理部１１１及びインターフェース１１３を制御する。
【００２５】
例えば、操作部１１５でトリミング処理を行って複写を行う複写モードが設定されている場合は、画像処理部１１１でトリミング処理を行わせてプリンタ部２へ転送させる。また、操作部１１５でファクシミリ送信モードが設定されている場合は、インターフェース１１３を介して画像データと設定モードに応じた制御コマンドをコア部１０へ転送させる。
【００２６】
このようなＣＰＵ１１４の制御プログラムはメモリ１１６に記憶されており、ＣＰＵ１１４はメモリ１１６を参照しながら制御を行う。また、メモリ１１６はＣＰＵ１１４の作業領域としても使われる。
【００２７】
図４は、上述のコア部１０の構成を示すブロック図である。ここで、リーダ部１からの画像データはデータ処理部１２１へ転送されると共に、リーダ部１からの制御コマンドはＣＰＵ１２３へ転送される。データ処理部１２１は画像の回転処理や変倍処理などの画像処理を行うものであり、リーダ部１からデータ処理部１２１へ転送された画像データはリーダ部１から転送された制御コマンドに応じてインターフェース１２０を介してファクシミリ部４、ファイル部５、コンピュータ・インターフェース部７へ転送される。このデータ処理部１２１には、画像データ２面分のメモリを有し、ダブルバッファ構成にてリアルタイムの回転処理を行う。また、コンピュータ・インターフェース部７を介して入力された画像を表すコードデータは、データ処理部１２１に転送された後、フォーマッタ部８へ転送されて画像データに展開され、この画像データはデータ処理部１２１に転送された後、ファクシミリ部４、プリンタ部２、ファイル部５へ転送される。
【００２８】
ファクシミリ部４からの画像データは、データ処理部１２１へ転送された後、プリンタ部２やファイル部５、コンピュータ・インターフェース部７へ転送される。また、ファイル部５からの画像データは、データ処理部１２１へ転送された後、プリンタ部２やファクシミリ部４、コンピュータ・インターフェース部７へ転送される。ＣＰＵ１２３はメモリ１２４に記憶されている制御プログラム及びリーダ部１から転送された制御コマンドに従ってこのような制御を行う。また、メモリ１２４はＣＰＵ１２３の作業領域としても使われる。
【００２９】
このように、コア部１０を中心に、原稿画像の読み取り、画像のプリント、画像の送受信、画像の保存、コンピュータからのデータの入出力などの機能を複合させた処理を行うことが可能である。
【００３０】
図５は、上述のファイル部５の構成を示すブロック図である。コア部１０からの画像データは、インターフェース部５０１を介してメモリコントローラ５０２へ入力される。メモリコントローラ５０２は入力された画像データを画像メモリ５０３へ一時的に書き込む。ＣＰＵ５０６は画像処理部５０５を制御して画像メモリ５０３に格納された画像データを圧縮し、圧縮された符号データをメモリコントローラ５０２を介して一時的に符号メモリ５０４へ書き込む。次に、ＣＰＵ５０６はＳＣＳＩコントローラ５０８を制御して符号メモリ５０４に一時的に格納された符号データを読み出し、光磁気ディスクドライブユニット６内の光磁気ディスク６０１に書き込む。この時、ＣＰＵ５０６はコア部１０から転送され、メモリ５０７内に一時的に格納した種々の画像属性データや、画像データを画像ファイルとして光磁気ディスク６０１内で管理するための画像ファイル情報等も併せて光磁気ディスク６０１に書き込む。また、メモリ５０７はＣＰＵ５０６の作業領域としても使われる。
【００３１】
また、コア部１０からの指示により光磁気ディスク６０１内に記録された画像ファイルを出力するには、上述した処理の逆を行えばよい。即ち、ＣＰＵ５０６はＳＣＳＩコントローラ５０８を制御して所望の画像データを光磁気ディスク６０１から読み出し、メモリコントローラ５０２を介して符号メモリ５０４へ一時的に書き込む。次に、ＣＰＵ５０６は画像処理部５０５を制御して符号メモリ５０４中の符号データを伸張し、伸長された画像データをメモリコントローラ５０２を介して画像メモリ５０３へ書き込む。画像メモリ５０３に一時的に格納された画像データは、更にメモリコントローラ５０２及びインターフェース部５０１を介してコア部１０へ転送される。
【００３２】
次に、第１の実施形態におけるドキュメントマネージメント装置の記録動作について説明する。
【００３３】
図６は、第１の実施形態における記録処理を示すフローチャートである。まず光磁気ディスク６０１が光磁気ディスクドライブユニット６内に挿入されると、記録可能な状態になり、ステップＳ６０１に進み、画像データの記録設定を行う。ここで、リーダ部１からの画像データを記録する場合、上述したように図３に示す操作部１１５にて設定された解像度、読み取りモード（両面原稿）、ノイズ除去、濃度、ハーフトーン、読み取りサイズ等の各種の読み取りモードをＣＰＵ１１４が制御すると共に、操作部１１５にて設定された検索用のコードデータをファイル部５のＣＰＵ５０６に通知する。そして、ファイル部５のＣＰＵ５０６は通知された検索用のコードデータをファイル部５のメモリ５０７に一時的に格納する。
【００３４】
また、ファクシミリ部４からの画像データを記録する場合には、ファクシミリ部４の不図示のＣＰＵから検索用のコードデータがファイル部５のＣＰＵ５０６に通知される。そして、ファイル部５のＣＰＵ５０６は通知された検索用のコードデータをファイル部５のメモリ５０７に一時的に格納する。
【００３５】
また同様にして、フォーマッタ部８で展開された画像データを記録する場合も、フォーマッタ部８の不図示のＣＰＵから検索用のコードデータがファイル部５のＣＰＵ５０６に通知される。そして、ファイル部５のＣＰＵ５０６は通知された検索用のコードデータをファイル部５のメモリ５０７に一時的に格納する。
【００３６】
次に、ステップＳ６０２において、ドキュメント記述方向のデフォルト設定を行う。まず、ドキュメント記述方向のデフォルト値がリーダ部１、ファクシミリ部４、フォーマッタ部８からの記録設定に応じてコア部１０のＣＰＵ１２３からファイル部５のＣＰＵ５０６に通知される。これにより、ファイル部５のＣＰＵ５０６は通知されたドキュメント記述方向をファイル部５のメモリ５０７に一時的に格納する。
【００３７】
尚、ドキュメントの記述方向は、画像データとしてファイル部５に入力される際に、図７に示すように分類される。図７に示す（ａ）はドキュメントの正しい向きに対して副走査方向がドキュメントの先端部から後端部となるようにファイル部５の画像メモリ５０３に格納される様子を示し、この場合をドキュメントの記述方向が０［ｄｅｇ］であるとする。そして、図７に示す（ｂ），図７に示す（ｃ）及び図７に示す（ｄ）は、それぞれ図７に示す（ａ）を９０［ｄｅｇ］，１８０［ｄｅｇ］及び２７０［ｄｅｇ］時計回りに回転されたものである。
【００３８】
上述のステップＳ６０１において、リーダ部１から画像入力する場合、ドキュメント記述方向は図７に示す（ｄ）の２７０［ｄｅｇ］であるが、スキャナ入力をコア部１０のデータ処理部１２１にて９０［ｄｅｇ］回転させファイル部５に画像入力するよう制御するので、ドキュメント記述方向のデフォルト値は実際には図７に示す（ａ）のように０［ｄｅｇ］となる。また、ファクシミリ部４から入力する場合、ドキュメント記述方向のデフォルト値は図７に示す（ａ）のように０［ｄｅｇ］となり、また同様に、フォーマッタ部８から入力する場合には、ドキュメント記述方向のデフォルト値は図７に示す（ａ）のように０［ｄｅｇ］となる。
【００３９】
この時点でドキュメントの記述方向が完全に正確に設定されているのはフォーマッタ部８から画像入力される場合のみである。上述のように、リーダ部１及びファクシミリ部４から画像入力される場合は、この時点ではドキュメントの記述方向は必ずしも正確ではない。尚、図７は原稿を縦長に見たときに正しく読める方向、いわゆるポートレイトの原稿について図示しているが、原稿を横長に見たときに正しく読める方向、いわゆるランドスケープの原稿についても同様に処理できる。
【００４０】
次に、ステップＳ６０３において、光磁気ディスク６０１の中に画像データを記録するための画像ファイル、データベースファイルをオープンする。そして、ステップＳ６０４において、リーダ部１、ファクシミリ部４、フォーマッタ部８の何れかから画像データを上述の信号の流れに従い、ファイル部５の画像メモリ５０３に一時的に記憶すると共に、画像データの属性、例えば解像度、画素数、及び階調をファイル部５のＣＰＵ５０６に通知し、ファイル部５のメモリ５０７に一時的に格納する。
【００４１】
次に、ステップＳ６０５において、上述した手順に従って画像メモリ５０３に記憶した画像データをステップＳ６０４で通知した画像属性データと共に光磁気ディスク６０１に記録する。その後、画像データの記録が終了すると、ステップＳ６０６に進み、画像データの記録枚数をカウントアップする。そして、ステップＳ６０７では、コア部１０のＣＰＵ１２３からファイル部５のＣＰＵ５０６に、処理すべき全てのドキュメントが画像データとして入力されたか通知される。ここで、処理されていないドキュメントが残っている場合にはステップＳ６０４に戻り、上述の処理を繰り返す。
【００４２】
その後、全てのドキュメントが処理された場合にはステップＳ６０８に進み、記録された画像データをひとまとまりの文書として管理するための各種管理情報を光磁気ディスク６０１内にデータベースファイルとして書き込む。この管理情報は、ファイル部５のメモリ５０７内に一時的に格納されている検索用のコードデータ、ドキュメントの記述方向、画像属性データ、ドキュメントの画像枚数、日付、時刻情報を基に構成されている。次に、ステップＳ６０９では、ステップＳ６０３でオープンされた画像ファイル、データベースファイルをクローズし、記録処理を終了する。
【００４３】
図８は、光磁気ディスク６０１内で管理される一つの文書に関する文書ファイル構造を示す図である。図示するように、文書ファイル８００はページ情報フィールド８１０、日付情報フィールド８２０、キーワードフィールド８３０で構成され、各フィールド８１０，８２０，８３０は更に以下のように構成される。
【００４４】
即ち、ページ情報フィールド８１０は、文書中のページ数８１１、各ページの詳細情報を指し示すページポインタ８１２から構成される。このページポインタ８１２は各ページの詳細情報を記述したページ情報ファイル８４０を指し示す。このページ情報ファイル８４０は、文書中のページ数８１１で記述されたページ数分のページ情報を有する。この各ページフィールド内にはページ毎の画像属性情報、例えば解像度や画素数情報と、図６のステップＳ６０２において説明したドキュメント記述方向及び各々のページに対応する画像データファイルを指し示す画像ポインタを含んでいる。例えば、ページ１フィールド８４１ではページ１の画像データ８５１を指し示す。また、ページ２フィールド８４２ではページ２の画像データ８５２を指し示す。そして、ページＰフィールド８４ＰではページＰの画像データ８５Ｐを指し示す。
【００４５】
また、日付情報フィールド８２０は、文書を新規に作成した作成日付８２１、文書を更新した更新日付８２２、文書にアクセスしたアクセス日付８２３により構成される。日付情報フィールドの各フィールドデータは年月日時分秒のデータで構成される。文書を新規に作成した場合、これら作成日付８２１、更新日付８２２、及びアクセス日付８２３の日付時刻データは全て同一データとなる。そして、キーワードフィールド８３０は、検索用のコードデータとして、キーワード１（８３１）、キーワード２（８３２）、…、キーワードＮ（８３Ｎ）によって構成される。
【００４６】
次に、第１の実施形態におけるドキュメントマネージメント装置の画像表示動作とドキュメント記述方向の再指定動作について説明する。
【００４７】
図９は、第１の実施形態におけるドキュメント記述方向の再指定処理を示すフローチャートである。また、図１０及び図１１は、図３の操作部１１５における操作画面を示す図であり、各図中、（ａ），（ｂ），（ｃ），（ｄ）は各画面を示す。
【００４８】
まず、光磁気ディスク６０１が光磁気ディスクドライブユニット６に挿入され、図１０に示す（ａ）の操作画面上で「ファイル」キー１０１１が押下されると、操作画面をファイル機能に切り換える。次に、図１０に示す（ａ）の操作画面上で「エキスパート機能」キー１０１２が押下されると、操作画面を図１０に示す（ｂ）のように切り換える。
【００４９】
更に、図１０に示す（ｂ）の操作画面上で「条件で検索」キー１０２１が押下されると、ステップＳ９０１に進み、図１０に示す（ｃ）の操作画面上で文書名、文書番号、作成者、アクセス日付、更新日付等のキーワードが入力され、その後、「検索実行」キー１０３２が押下されると、ファイル部５のＣＰＵ５０６が光磁気ディスク６０１内に記録されている文書から入力されたキーワードに合致する文書を検索する。そして、ＣＰＵ５０６は光磁気ディスク６０１から検索した文書の文書ファイル８００を順次読み出し、メモリ５０７へ格納する。
【００５０】
次に、ステップＳ９０２において、メモリ５０７に格納された複数の文書ファイルデータをＣＰＵ５０６がコア部１０を介して操作部１１５へ転送する。操作部１１５では操作画面を図１０に示す（ｄ）のように切り換えると共に、転送された文書データを順次表示する。このようにして、図１０に示す（ｄ）の操作画面上に検索された文書を順に表示することができる。また、図１０に示す（ｄ）の操作画面上で「並び替え」キー１０４３の押下によりキーワード毎に並び替えを行うこともできる。そして、ステップＳ９０３において、図１０に示す（ｄ）の操作画面上で「下カーソル」キー１０４１及び「上カーソル」キー１０４２が押下されることにより、所望の文書（画像）データファイルを特定する。図１０に示す（ｄ）の操作画面上では、特定された文書データファイルを反転表示している。次に、図１０に示す（ｄ）の「文書操作」キー１０４５が押下されることにより、ステップＳ９０４に進む。
【００５１】
このステップＳ９０４では、まず操作画面を図１１に示す（ａ）のように切り換える。ここで「表示」キー１０５１が押下されると、操作画面を図１１に示す（ｂ）のように切り換えると共に、選択された文書の１ページ目の画像データを表示する。図１１に示す（ｂ）では、ファイル部５の光磁気ディスク６０１内に記録されている、リーダ部１より入力した画像データを主走査方向と副走査方向の関係を保持したまま（図７に示す（ａ）参照）表示したものである。
【００５２】
図１１において、「前ページ」キー１０６１及び「次ページ」キー１０６２はページの移動キーであり、ステップＳ９０５においてこれらのキーが押下されると、ステップＳ９０６に進み、前ページ／次ページの画像データを準備した後、ステップＳ９０４に戻る。
【００５３】
図１１において、「縮小」キー１０６３及び「拡大」キー１０６４はページの変倍表示キーであり、ステップＳ９０７においてこれらのキーが押下されると、ステップＳ９０８に進み、縮小／拡大された画像データを準備した後、ステップＳ９０４に戻る。
【００５４】
図１１において、「カーソル」キー１０６５，１０６６，１０６７，１０６８はページのスクロールを行うカーソルキーであり、ステップＳ９０９でこれらのキーが押下されると、ステップＳ９１０に進み、スクロールされた画像データを準備した後、ステップＳ９０４に戻る。
【００５５】
図１１において、「回転」キー１０６９はページの回転表示を行う回転キーであり、ステップＳ９１１で「回転」キーが押下されると、ステップＳ９１２に進み、回転された画像データを準備した後、ステップＳ９０４に戻る。図１１に示す（ｂ）は、図１１に示す（ｃ）の画像データを２７０度時計方向に回転させた画像データの表示例を示す図である。
【００５６】
次に、ステップＳ９１３において、回転された画像データが正しく読める方向（図１１に示す（ｃ）の例）であれば「設定」キー１０７０を押下し、ステップＳ９１４に進む。このステップＳ９１４では、図１１に示す（ｂ）の時計方向の回転角度ｒ［ｄｅｇ］を求め、ファイル部５のＣＰＵ５０６に通知する。これにより、ファイル部５のＣＰＵ５０６はドキュメントの正しい記述方向Ｒ［ｄｅｇ］を次の（１）式にて求める。但し、Ｒ＝３６０の場合はＲ＝０とする。
【００５７】
Ｒ＝３６０−ｒ      …（１）
このようにして求められたドキュメントの正しい記述方向Ｒは、前述した図８のページ情報ファイル８４０内のドキュメント記述方向フィールドに書き込まれる。
【００５８】
尚、図９のステップＳ９１４の設定はページ単位で設定できるように構成しているが、文書単位にまとめて設定できるように構成することも可能である。
【００５９】
また、図１１に示す（ｂ）では、ファイル部５の光磁気ディスク６０１内に記録されている、リーダ部１より入力した画像データの表示について説明したが、ファクシミリ部４、フォーマッタ部８或いはコンピュータ・インターフェース部７からファイル部５の光磁気ディスク６０１に記録された画像データを表示する場合についても、全く同様に処理することが可能である。
【００６０】
そして、ステップＳ９１５において、「終了」キー１０７１が押下された場合には操作画面を図１１に示す（ａ）に戻し、処理を終了する。
【００６１】
次に、第１の実施形態におけるドキュメントマネージメント装置の画像出力処理動作について説明する。
【００６２】
図１２は、第１の実施形態における画像出力処理を示すフローチャートである。また、図１３及び図１４は、図３の操作部１１５における操作画面を示す図であり、各図中（ａ），（ｂ），（ｃ）は各画面を示す。
【００６３】
まず、ステップＳ１２０１において、文書ファイルの特定、リスト表示、画像データファイルの特定を行う。この処理は、前述した図９のステップＳ９０１，Ｓ９０２，Ｓ９０３と同様であり、操作画面は図１０に示す（ｄ）のようになる。この操作画面上で「プリント／ファクシミリ」キー１０４４が押下されると、操作画面を図１３に示す（ａ）のように切り換え、ステップＳ１２０２に進み、図１３に示す（ａ）の中で「プリント」キー１２０１が押下されると、操作画面を図１３に示す（ｂ）のように切り換える。
【００６４】
次に、ステップＳ１２０３において、プリント出力の各種モード設定を行う。プリントモード設定は、図１３に示す（ｂ）の「出力設定」キー１２１０が押下されることにより行う。ここで「出力設定」キー１２１０が押下されると、操作画面を図１３に示す（ｃ）のように切り換える。同図中、「両面」キー１２１３は両面プリントの設定であり、「用紙選択」キー１２１４はプリントする用紙サイズの設定であり、「ソータ」キー１２１５は出力用紙のソート出力或いはステイプルソート出力の設定であり、「縮小レイアウト」キー１２１６は複数ページの画像を１枚の出力用紙にレイアウトする設定であり、「ページ範囲」キー１２１７は文書中の出力ページ範囲の指定であり、「画枠」キーは画像データの枠処理の設定である。また、不図示のテンキーが押下されると、出力する文書の出力部数の設定を行う。その後、設定が終了し、「ＯＫ」キー１２１９が押下されると、設定したプリント出力設定を確定し、操作画面を図１３に示す（ｂ）のように切り換える。
【００６５】
ここで図１３に示す（ｂ）の「プリント実行」キー１２１１が押下されると、ステップＳ１２０４に進み、設定されたプリント設定内容に従い、ファイル部５の光磁気ディスク６０１内の特定された文書のプリントアウトを行う。プリントアウトする際の制御手順を図１５を用いて以下に説明する。
【００６６】
図１５は、特定の文書をプリントする際の制御手順を示したフローチャートである。まずステップＳ１５０１において、ファイル部５の光磁気ディスク６０１内の文書ファイル８００をオープンし、ステップＳ１５０２では、文書ファイル８００中の文書情報を読み出し、メモリ５０７内に一時的に記憶する。そして、ステップＳ１５０３において、ファイル部５の光磁気ディスク６０１内のページ情報ファイル８４０をオープンし、ステップＳ１５０４で文書ファイル８００内に記述されているページ数８１１、或いは図１２のステップＳ１２０３のページ範囲で指定されたパラメータを参照し、ページ番号のパラメータｐを初期化する。ここで、ページ番号パラメータｐは光磁気ディスク６０１内に記録されている文書（ページ数＝Ｐ）のどのページかを表し、プリントアウトされるページ順序を制御するものである。例えば、文書中の全ページをプリントする際に複写機の構成のように最終ページから処理する場合、ページ番号パラメータｐを初期値Ｐに設定すればよい。また、先頭ページから処理する場合、ページ番号パラメータｐを初期値１に設定すればよい。ここでは、初期値Ｐとして説明する。
【００６７】
次に、ステップＳ１５０５において、ステップＳ１５０４で設定されたページ番号パラメータＰに対応するページ情報８４Ｐ（解像度、画素数、ドキュメント記述方向等）を読み出し、メモリ５０７内に一時的に記憶する。そして、ステップＳ１５０６において、ページ番号パラメータＰに対応する画像データファイル８５Ｐをオープンし、ステップＳ１５０７において、オープンされた画像データファイル８５Ｐの画像データ（符号データ）を光磁気ディスク６０１から読み出し、ファイル部５の符号メモリ５０４に一時的に格納する。
【００６８】
次に、ステップＳ１５０８において、ステップＳ１５０５で読み出されメモリ５０７内に記憶されたページ情報８４Ｐの解像度、画素数を参照し、符号メモリ５０４内に格納された画像データ（符号データ）の伸長を行う。伸長された画像データをファイル部５の画像メモリ５０３に一時的に格納する。そして、ステップＳ１５０９において、ステップＳ１５０５で読み出されメモリ５０７内に記憶されたページ情報８４Ｐのドキュメント記述方向と、図１２のステップＳ１２０３で設定された各種プリント設定を参照してコア部１０のデータ処理部１２１にて、適切な回転処理及び変倍処理を行う。
【００６９】
例えば、ドキュメント記述方向が図７に示す（ａ）のように０［ｄｅｇ］であり、プリント設定でステイプルソートが選択された場合、２７０［ｄｅｇ］回転処理すればよい。また、ドキュメント記述方向が図７に示す（ａ）のように０［ｄｅｇ］で、かつポートレイトの画像（用紙を縦にして見たとき、正しく見える）であり、プリント設定で両面が選択され、かつ縦送りの用紙選択がされた場合は、更にページ番号ｐが偶数が奇数かで０［ｄｅｇ］と１８０［ｄｅｇ］を交互に切り換えて回転処理するように制御すればよい。また、ドキュメント記述方向がページ毎に異なる場合についても、上述のドキュメント記述方向と、図１２のステップＳ１２０３で設定された各種プリント設定を参照して適切な回転処理及び変倍処理を行うことによりフィニッシングの整合性や、プリント用紙サイズにあわせ整然としたプリント結果を得ることが可能である。
【００７０】
次に、ステップＳ１５１０において、データ処理部１２１にて回転、変倍された画像データがプリンタ部２に転送され、画像形成される。そして、ステップＳ１５１１において、ページ番号パラメータＰの画像データファイルをクローズし、ステップＳ１５１２では、プリント設定を参照して全ページの画像形成が終了したかどうかを判断する。ここで、すべての指定されたページの画像形成が終了すればステップＳ１５１３へ進み、また処理すべきページが残っている場合にはページ番号パラメータを補正してステップＳ１５０５に戻る。
【００７１】
ステップＳ１５１３では、ページ情報ファイル８４０をクローズし、ステップＳ１５１４では文書ファイル８００をクローズする。次に、ステップＳ１５１５では、上述したプリント設定を参照してステイプル設定がされていればステップＳ１５１６に進み、ソータ部２２０にてステイプル処理を行う。また、ステップＳ１５１５でステイプル設定がされていない場合には終了し、図１２のステップＳ１２０８に進む。
【００７２】
次に、図１３に示す（ａ）の画面上で「ファクス送信」キー１２０４１が押下されると、操作画面を図１４に示す（ａ）のように切り換え、図１２のステップＳ１２０５からステップＳ１２０６に進み、ファクス送信の各種のモード設定を行う。ファクス送信の設定は、図１４に示す（ａ）の「出力設定」キー１２２３の押下により行われる。その後、図１４に示す（ａ）の「ＯＫ」キー１２２５が押下されると、操作画面を図１４に示す（ｂ）のように切り換え、この画面上でファクス送信先の宛先が不図示のテンキーで指定され、不図示のスタートキーが押下されると、ステップＳ１２０７に進む。このステップＳ１２０７では、設定されたファクス送信設定内容に従い、ファイル部５の光磁気ディスク６０１中の特定された文書のファクスを行う。このファクス送信する際の制御手順は、コア部１０のデータ処理部１２１からの出力先がファクシミリ部４に変わるだけで、プリントアウトの手順と同様なので省略する。
【００７３】
以上説明したように、第１の実施形態によれば、スキャナ入力画像、ファクシミリ受信画像、ＰＤＬ展開画像等、画像の展開方向が異なる場合でもスピードを低下させることなく必要に応じて回転処理入力することにより、各種画像データを整然と出力（表示、プリント、ファクシミリ送信等）及びフィニッシングすることができるという効果を奏する。
【００７４】
［第２の実施形態］
図１６は、第２の実施形態におけるドキュメントマネージメント装置の構成を示すブロック図である。同図において、リーダ部１、プリンタ部２、画像入出力制御部３、ファクシミリ部４、ファイル部５、コンピュータ・インターフェース部７、フォーマッタ部８、イメージメモリ部９、コア部１０は第１の実施形態と同様なので詳細は省略する。
【００７５】
また、ファイル部５には光磁気ディスクドライブユニット６が接続されており、ファイル部５はコア部１０から転送された画像データを圧縮し、その画像データを検索するためのコードデータと共に、光磁気ディスクドライブユニット６にセットされた光磁気ディスク６０１に記憶させる。更に、ファイル部５はコア部１０を介して転送されたコードデータに基づいて光磁気ディスク６０１に記憶されている圧縮画像データを検索し、検索された圧縮画像データを読み出して伸張し、伸長された画像データをコア部１０へ転送する。
【００７６】
第２の実施形態では、周辺装置として光磁気ディスクドライブユニット１４がパーソナルコンピュータ又はワークステーション（ＰＣ／ＷＳ）１１に接続されており、光磁気ディスクドライブユニット１４にセットされた光磁気ディスクのデータの読み出し、書き込みが可能である。
【００７７】
また、ファイル部５に接続されている光磁気ディスクドライブユニット６と、パーソナルコンピュータ又はワークステーション（ＰＣ／ＷＳ）１１に接続されている光磁気ディスクドライブユニット１４とは、共に可変型の光磁気ディスク６０１をセットすることができ、同一の光磁気ディスク６０１を互いにセットすることにより、データを共有することも可能である。
【００７８】
尚、第２の実施形態におけるドキュメントマネージメント装置の記録処理動作は、第１の実施形態と全く同様に説明されるため省略する。
【００７９】
ここで、第２の実施形態におけるドキュメントマネージメント装置の画像表示動作及びドキュメント記述方向の再指定動作について説明する。
【００８０】
ドキュメント記述方向の再指定動作の制御手順は、図９に示すフローチャートと全く同様に説明される。第１の実施形態との違いは、ＰＣ／ＷＳ１１上でアプリケーションプログラムを作成し、ＰＣ／ＷＳ１１に接続された光磁気ディスクドライブユニット１４にセットされた光磁気ディスク６０１の所定の各ファイル（図８参照）を読み出し、書き込みするのみである。
【００８１】
ドキュメント記述方向の再指定動作が終了したら、上記光磁気ディスク６０１を光磁気ディスクドライブユニット１４からイジェクトし、次にファイル部５に接続された光磁気ディスクドライブユニット６にセットする。
【００８２】
尚、第２の実施形態におけるドキュメントマネージメント装置の画像出力処理動作は、第１の実施形態と全く同様に説明されるため省略する。
【００８３】
このように、第２の実施形態によれば、ドキュメント記述方向の再指定動作を複数のコンピュータ機器で分散して処理可能であるという効果を奏する。
【００８４】
また、複写機本体の操作パネルよりも操作性の良い、ＭＭＩ（マン−マシン−インターフェース）をコンピュータ機器のアプリケーションプログラムで容易に提供することができるという効果を奏する。
【００８５】
［第３の実施形態］
図１７は、第３の実施形態におけるドキュメントマネージメント装置の構成を示すブロック図である。同図において、リーダ部１、プリンタ部２、画像入出力制御部３、ファクシミリ部４、ファイル部５、コンピュータ・インターフェース部７、フォーマッタ部８、イメージメモリ部９、コア部１０は第１の実施形態と同様なので詳細は省略する。
【００８６】
また、ファイル部５には光磁気ディスクドライブユニット６が接続されており、ファイル部５はコア部１０から転送された画像データを圧縮し、その画像データを検索するためのコードデータと共に、光磁気ディスクドライブユニット６にセットされた光磁気ディスク６０１に記憶させる。更に、ファイル部５はコア部１０を介して転送されたコードデータに基づいて光磁気ディスク６０１に記憶されている圧縮画像データを検索し、検索された圧縮画像データを読み出して伸張し、伸長された画像データをコア部１０へ転送する。
【００８７】
第３の実施形態では、パーソナルコンピュータ又はワークステーション（ＰＣ／ＷＳ）１１はネットワーク１５を介してコンピュータ・インターフェース部７に接続されており、ＰＣ／ＷＳ１１からの遠隔操作により、ファイル部５に接続された光磁気ディスクドライブユニット６内の光磁気ディスク６０１のデータを読み出し、書き込みすることが可能である。
【００８８】
尚、パーソナルコンピュータ又はワークステーション（ＰＣ／ＷＳ）１１は、ネットワーク１５に限らず、ＳＣＳＩやＲＳ−２３２Ｃ等によりコンピュータ・インターフェース部７と接続されても良い。
【００８９】
また、記憶媒体は光磁気ディスクに限らず、大容量のハードディスク媒体や、複数の記憶媒体を内蔵したものとしても良い。
【００９０】
尚、第３の実施形態におけるドキュメントマネージメント装置の記録処理動作は、第１の実施形態と全く同様に説明されるため省略する。
【００９１】
ここで、第３の実施形態におけるドキュメントマネージメント装置の画像表示動作及びドキュメント記述方向の再指定動作について説明する。
【００９２】
ドキュメント記述方向の再指定動作の制御手順は図９に示すフローチャートと全く同様に説明される。第１の実施形態との違いは、ＰＣ／ＷＳ１１に接続されたコンピュータ・インターフェース部７経由で光磁気ディスクドライブユニット６にセットされた光磁気ディスク６０１の所定の各ファイル（図８参照）を読み出し、書き込みすることである。
【００９３】
尚、第３の実施形態におけるドキュメントマネージメント装置の画像出力処理動作は、第１の実施形態と全く同様に説明されるため省略する。
【００９４】
このように、第３の実施形態によれば、コンピュータ機器側に周辺装置としての光磁気ディスクドライブユニットが不要であるという効果を奏する。
【００９５】
また、複写機本体の操作パネルよりも操作性の良い、ＭＭＩ（マン−マシン−インターフェース）をコンピュータ機器のアプリケーションプログラムで容易に提供することができるという効果を奏する。
【００９６】
以上の如く、実施形態によれば、各種ドキュメントを表わす画像データを文書として管理する際に、各画像データに対応するドキュメント記述方向の管理手段を設け、この管理手段により管理されたドキュメント記述方向を参照して画像データを適切な方向に回転処理するように制御するので、各種画像データを整然と出力（表示、プリント、ファクシミリ送信等）及びフィニッシングすることができるという効果を奏する。
【００９７】
更に、スキャナ入力を行う際に、自動的に画像を回転させる回転手段を設けることにより、スキャナ入力画像をファクシミリ受信画像やＰＤＬ展開画像と同様な方向で扱うことができるという効果を奏する。
【００９８】
このように、記録されている画像データを直接記録媒体上で書き換えることを行わず、記述方向のみを付加的に対応づけて管理するため、簡単かつ高速に処理可能であるという効果を奏する。
【００９９】
また、ディスプレイ等の画像表示手段によって画像表示し、視覚的に確認してから再設定可能なように構成することで、必ずしも正しい方向にドキュメント記述方向が設定されていない場合にも、適切に再設定することができるという効果を奏する。
【０１００】
更に、画像データの入力手段が、スキャナ、ＰＤＬ、ファクシミリ受信画像、コンピュータ入力等の入力チャネルに応じて各々適切にデフォルト設定するように制御するため、既に正しい方向にドキュメント記述方向が設定されている場合には、再設定をするという操作を省略可能であるという効果を奏する。
【０１０１】
また、各画像データに対応するドキュメント記述方向の管理手段はページ毎に設定可能であるため、１文書中にドキュメントの記述方向が異なるページが存在する場合にも、すべてのページに対して正しい方向を設定することが可能であるという効果を奏する。
【０１０２】
更に、この管理手段或いは再設定手段により設定されたドキュメント記述方向と、各種出力設定を合わせて参照して画像データを適切な方向に回転、変倍処理するように制御するので、両面出力設定や出力用紙サイズ設定がされた場合にも、管理手段或いは再設定手段の結果におけるドキュメント記述方向が１文書中のページ毎に異なってしまう場合にも各種画像データを整然とプリントすることができるという効果を奏する。
【０１０３】
尚、本発明は複数の機器（例えば、ホストコンピュータ，インタフェイス機器，リーダ，プリンタなど）から構成されるシステムに適用しても、一つの機器からなる装置（例えば、複写機，ファクシミリ装置など）に適用してもよい。
【０１０４】
また、本発明の目的は前述した実施形態の機能を実現するソフトウェアのプログラムコードを記録した記憶媒体を、システム或いは装置に供給し、そのシステム或いは装置のコンピュータ（ＣＰＵ若しくはＭＰＵ）が記憶媒体に格納されたプログラムコードを読出し実行することによっても、達成されることは言うまでもない。
【０１０５】
この場合、記憶媒体から読出されたプログラムコード自体が前述した実施形態の機能を実現することになり、そのプログラムコードを記憶した記憶媒体は本発明を構成することになる。
【０１０６】
プログラムコードを供給するための記憶媒体としては、例えばフロッピーディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０１０７】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【０１０８】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【０１０９】
【発明の効果】
以上説明したように、本発明によれば、ドキュメントの記述方向を管理し、その記述方向に応じてドキュメントを回転させることにより、様々なドキュメントの入出力、表示、フィニッシング等の整合性をとることが可能となる。
【０１１０】
【図面の簡単な説明】
【図１】第１の実施形態によるドキュメントマネージメント装置の構成を示すブロック図である。
【図２】リーダ部及びプリンタ部の構造を示す断面図である。
【図３】リーダ部１の構成を示すブロック図である。
【図４】コア部１０の構成を示すブロック図である。
【図５】ファイル部５の構成を示すブロック図である。
【図６】ファイル部５の記録動作を示すフローチャートである。
【図７】ドキュメント記述方向を説明するための図である。
【図８】データベースファイルの一例を示す図である。
【図９】ドキュメント記述方向の指定手順を示すフローチャートである。
【図１０】ドキュメント記述方向の指定手順を示す操作画面である。
【図１１】ドキュメント記述方向の指定手順を示す操作画面である。
【図１２】画像出力手順を示すフローチャートである。
【図１３】画像出力手順を示す操作画面である。
【図１４】画像出力手順を示す操作画面である。
【図１５】プリント処理手順を示すフローチャートである。
【図１６】第２の実施形態によるドキュメントマネージメント装置の構成を示すブロック図である。
【図１７】第３の実施形態によるドキュメントマネージメント装置の構成を示すブロック図である。
【図１８】原稿の走査方向を説明するための図である。
【符号の説明】
１  リーダ部
２  プリンタ部
３  画像入出力制御部
４  ファクシミリ部
５  ファイル部
７  コンピュータ・インターフェース部
８  フォーマッタ部
９  イメージメモリ部
１０  コア部
１１  ＰＣ／ＷＳ
【図１】
0003566463.tif 000002
【図２】
0003566463.tif 000003
【図３】
0003566463.tif 000004
【図４】
0003566463.tif 000005
【図５】
0003566463.tif 000006
【図６】
0003566463.tif 000007
【図７】
0003566463.tif 000008
【図８】
0003566463.tif 000009
【図９】
0003566463.tif 000010
【図１０】
0003566463.tif 000011
【図１１】
0003566463.tif 000012
【図１２】
0003566463.tif 000013
【図１３】
0003566463.tif 000014
【図１４】
0003566463.tif 000015
【図１５】
0003566463.tif 000016
【図１６】
0003566463.tif 000017
【図１７】
0003566463.tif 000018
【図１８】
0003566463.tif 000019